(57)【要約】【課題】被着体に対して変色などの不具合発生を防止する印刷テープを提供し、併せて、そのような印刷テープを備えたテープカートリッジおよびテープ印刷装置を提供することを目的とする。【解決手段】印刷テープ５０は、裏面に粘着層５１が設けられて印刷される記録テープ５２と、粘着層５１により貼着される剥離テープ５３とから構成される印刷テープ５０であって、粘着層５１は、酸を含まない部材で構成される。また、テープカートリッジ３０は、記録テープ５２を外側にし、剥離テープ５３を内側にしてロール状に巻回して印刷テープ５０を収容する。テープ印刷装置１は、テープカートリッジ３０を装着するカートリッジ装着部２０と、テープカートリッジ３０から繰り出された印刷テープ５０を送りながら記録テープ５２に印刷を行なう印刷機構部１３０と、印刷機構部１３０により印刷された印刷テープ５０をカットするするカット機構部１４０とを有する。【選択図】図４
2008194964.tif 000002
【特許請求の範囲】
【請求項１】
裏面に粘着層が設けられて印刷される記録テープと、前記粘着層により貼着される剥離テープとから構成される印刷テープにおいて、
前記粘着層は、酸を含まない部材で構成されることを特徴とする印刷テープ。
【請求項２】
請求項１に記載の印刷テープを収容するテープカートリッジにおいて、
前記記録テープを外側にし、前記剥離テープを内側にしてロール状に巻回して前記印刷テープを収容することを特徴とするテープカートリッジ。
【請求項３】
請求項２に記載のテープカートリッジを装着するカートリッジ装着部と、
前記テープカートリッジから繰り出された前記印刷テープを送りながら前記記録テープに印刷を行なう印刷機構部と、
前記印刷機構部により印刷された前記印刷テープをカットするカット機構部と、を有することを特徴とするテープ印刷装置。
【発明の詳細な説明】
【技術分野】
【０００１】
本発明は、印刷テープ、テープカートリッジ、およびテープ印刷装置に関するものである。
【背景技術】
【０００２】
従来、テープ印刷装置において使用される印刷テープ２００は、図５（ａ）に示すように、粘着層２０１が裏面に設けられ、テープ印刷装置により印刷される記録テープ２０２と、その粘着層２０１を覆う剥離テープ２０３とで構成されている。そして、記録テープ２０２の上面に、インクリボンからのインク２１０が付着することで、記録テープ２０２に印刷が行なわれる。また、図５（ｂ）に示すように、印刷が済んだ印刷テープ２００から剥離テープ２０３を剥離して、粘着層２０１を設ける記録テープ２０２を被着体２２０の表面に貼着して使用している。
【発明の開示】
【発明が解決しようとする課題】
【０００３】
しかし、この状態で、被着体２２０を使用すると、図５（ｂ）に示すように、被着体２２０の粘着層２０１との貼着部分周辺２２５に変色などの不具合が発生する場合があった。また、このような不具合は徐々に進行し、被着体２２０の劣化へと進んでしまうため、被着体２２０の長期保存などには適さなかった。
【０００４】
本発明は、上述した課題に鑑みてなされたものであり、被着体に対して変色などの不具合発生を防止する印刷テープを提供し、併せて、そのような印刷テープを備えたテープカートリッジおよびテープ印刷装置を提供することを目的とする。
【課題を解決するための手段】
【０００５】
上述した目的を達成するために、本発明の印刷テープは、裏面に粘着層が設けられて印刷される記録テープと、粘着層により貼着される剥離テープとから構成される印刷テープであって、粘着層は、酸を含まない部材で構成されることを特徴とする。
【０００６】
このような印刷テープによれば、粘着層が、酸を含まない部材で構成されることにより、印刷テープの剥離テープを剥がし、記録テープの粘着層を被着体に貼着した場合、被着体の貼着部分周辺に変色などの不具合が発生することを防止することができる。従って、被着体の長期保存に適した印刷テープが実現できる。
【０００７】
また、上述した目的を達成するために、本発明のテープカートリッジは、上記の印刷テープを収容するテープカートリッジであって、記録テープを外側にし、剥離テープを内側にしてロール状に巻回して印刷テープを収容することを特徴とする。
【０００８】
このようなテープカートリッジによれば、記録テープを外側にし、剥離テープを内側にしてロール状に巻回して印刷テープを収容することにより、被着体に変色などの不具合を発生させない印刷テープを収容するテープカートリッジが可能となる。
【０００９】
また、上述した目的を達成するために、本発明のテープ印刷装置は、上記のテープカートリッジを装着するカートリッジ装着部と、テープカートリッジから繰り出された印刷テープを送りながら記録テープに印刷を行なう印刷機構部と、印刷機構部により印刷された印刷テープをカットするカット機構部と、を有することを特徴とする。
【００１０】
このようなテープ印刷装置によれば、カートリッジ装着部と印刷機構部とカット機構部とを有することにより、被着体に変色などの不具合を発生させない印刷テープに対して印刷およびカットを行なうことが可能なテープ印刷装置が実現できる。
【発明を実施するための最良の形態】
【００１１】
以下、本発明の実施形態を図面に基づいて説明する。
（実施形態）
【００１２】
図１は、本発明の実施形態に係るテープ印刷装置の斜視図である。また、図２は、開蓋状態のテープ印刷装置の斜視図である。なお、図２は、テープ印刷装置１の開閉蓋８を開放し、テープカートリッジ３０が非装着の状態を示している。図１、図２を参照して、テープ印刷装置１およびテープカートリッジ３０を説明する。
【００１３】
テープ印刷装置１は、印刷テープ５０に対して文字印刷を行なう装置本体２と、印刷テープ５０およびインクリボン６０を収容して装置本体２に着脱自在に装着されるテープカートリッジ３０とを備えている。
【００１４】
装置本体２は、装置ケース３により筐体が形成されている。装置ケース３の前半部上面には、操作部１０１を構成するキーボード４が配設されている。装置ケース３の後半部上面の左部には、テープカートリッジ３０を着脱自在に装着することができるカートリッジ装着部２０が、カートリッジケース３３の外形に略相似形状で窪んで形成されている。
【００１５】
カートリッジ装着部２０の上部には、テープカートリッジ３０をカートリッジ装着部２０に着脱する際に開閉する開閉蓋８が設けられている。また、開閉蓋８の表側にはキーボード４からの入力結果などを表示する長方形のディスプレイ９が形成されていると共に、開閉蓋８を閉塞した状態でテープカートリッジ３０の装着／非装着を視認するための覗き窓１０が形成されている。
【００１６】
装置ケース３の左側面部には、カートリッジ装着部２０と外部を連通するテープ排出口１１が形成されている。そして、装置本体２の内部には、テープ排出口１１に臨んで、テープカートリッジ３０から送り出された印刷テープ５０をカット（ハーフカットやフルカットを含む）するためのカット機構部１４０が設置されている。印刷テープ５０の印刷が済んだ部分（印刷済み部分）がカット機構部１４０によりカットされ、テープ排出口１１からテープ片５０ａとして排出される。
【００１７】
一方、装置ケース３の右側面部には、電源供給のための電源供給口１２と図外のパーソナルコンピュータなどの外部装置と接続するための接続口１３が形成されている。また、図では省略するが、装置ケース３の内部には、テープ印刷装置１を統括制御する制御部１００（図３参照）を構成する回路基板が搭載されている。
【００１８】
カートリッジ装着部２０には、発熱素子を有しヘッドカバー２４に覆われた印刷ヘッド２２と、テープカートリッジ３０の印刷テープ５０およびインクリボン６０を送るためのプラテン駆動軸（図示省略）および巻取り駆動軸（図示省略）が突設されている。また、カートリッジ装着部２０の裏側（内部）には、プラテン駆動軸および巻取り駆動軸を駆動する印刷送りモータ２５（図３参照）やギヤ列（図示省略）などが内蔵されている。
【００１９】
そして、上記のプラテン駆動軸、巻取り駆動軸、印刷送りモータ２５およびギヤ列などを有して、テープカートリッジ３０から繰り出された印刷テープ５０を送りながら印刷を行なう印刷機構部１３０（図３参照）が構成されている。
【００２０】
テープカートリッジ３０を上記のカートリッジ装着部２０に装着すると、テープカートリッジ３０の貫通開口３４にヘッドカバー２４（印刷ヘッド２２）が差し込まれると共に、プラテンローラ３５およびリボン巻取りリール３２にプラテン駆動軸および巻取り駆動軸がそれぞれ係合する。この状態で、開閉蓋８を閉塞すると、これに連動して、印刷ヘッド２２が印刷テープ５０およびインクリボン６０を挟み込んでプラテンローラ３５に当接し、印刷待機状態となる。
【００２１】
そして、印刷機構部１３０が動作することにより、プラテンローラ３５およびリボン巻取りリール３２を駆動して印刷テープ５０およびインクリボン６０を送りながら、上記のキーボード４などから入力された文字情報などの入力データに基づいて、印刷ヘッド２２により印刷が行なわれる。印刷後、印刷テープ５０のみがテープカートリッジ３０のテープ送出口３６を介してテープ排出口１１から装置本体２外部に送り出され、インクリボン６０はリボン巻取りリール３２に巻き取られるようになっている。
【００２２】
なお、プラテンローラ３５により、送り出された印刷済みの印刷テープ５０は、印刷済み部分をカットするカット機構部１４０に臨むように送られる。
【００２３】
なお、カートリッジ装着部２０の隅部には、複数のマイクロスイッチで構成され、印刷テープ５０の種別を識別するためのテープ識別センサ１１０（図３参照）が設けられている。
【００２４】
また、印刷テープ５０は、裏面に粘着層５１が設けられた記録テープ５２と、この粘着層５１により貼着された剥離テープ５３とから構成されている。印刷テープ５０は、記録テープ５２を外側にし、かつ剥離テープ５３を内側にしてロール状に巻回されてカートリッジケース３３内に収容されている。
【００２５】
テープカートリッジ３０に収容されている印刷テープ５０のテープ幅は１２ｍｍ，２４ｍｍなど複数種類あり、カートリッジケース３３の裏面には、小さな複数の被検出孔（図示省略）が形成されており、上記のテープ識別センサ１１０によってこの複数の被検出孔が識別され、印刷テープ５０の種別を識別するようになっている。なお、印刷テープ５０の詳細に関しては後述する。
【００２６】
図３は、テープ印刷装置の制御系のブロック図である。図３を参照して、テープ印刷装置１の制御系の構成について説明する。
【００２７】
テープ印刷装置１は、操作部１０１により構成されている。そして、操作部１０１は、キーボード４およびディスプレイ９を有して構成されている。操作部１０１は、ユーザによる文字情報の入力や各種情報の表示などのユーザーインタフェースを司っている。
【００２８】
また、テープ印刷装置１は、印刷機構部１３０を構成する文字印刷部１０２により構成されている。そして、文字印刷部１０２は、テープカートリッジ３０、印刷ヘッド２２および印刷送りモータ２５を有して構成されている。文字印刷部１０２は、印刷テープ５０およびインクリボン６０を送りながら、入力された文字情報に基づく文字データを印刷テープ５０（詳細には記録テープ５２）面上に印刷する。
【００２９】
また、テープ印刷装置１は、カット機構部１４０を構成するカッタユニット１０３により構成されている。カッタユニット１０３は、フルカッター７２、ハーフカッター７４、および、これらをそれぞれ駆動するフルカッタモータ７１およびハーフカッタモータ７３を有して構成されている。
【００３０】
そして、カッタユニット１０３は、印刷済みの印刷テープ５０にフルカット（印刷テープ５０を完全にカット）およびハーフカット（印刷テープ５０の記録テープ５２および粘着層５１までをカット）を行なう。また、テープ印刷装置１は、検出部１０４により構成されている。検出部１０４は、テープ識別センサ１１０などの各種センサ（図示省略）を有し、各種検出を行なう。
【００３１】
更に、テープ印刷装置１は、各部を駆動する駆動部１０５と、各部と接続されてテープ印刷装置１全体を制御する制御部１００とにより構成されている。なお、駆動部１０５は、ディスプレイドライバ１１２、ヘッドドライバ１１３、印刷送りモータドライバ１１４およびカッタモータドライバ１１５を有して構成されている。
【００３２】
制御部１００は、ＣＰＵ１２０、ＲＯＭ１２１、ＲＡＭ１２２および入力制御装置（ＩＯＣ：Input Output Controller）１２３を備え、互いに内部バス１２４により接続されている。そして、ＣＰＵ１２０は、ＲＯＭ１２１内の制御プログラムにしたがって、ＩＯＣ１２３を介してテープ印刷装置１内の各部から各種信号・データを入力する。
【００３３】
また、制御部１００は、入力した各種信号・データに基づいて、ＲＡＭ１２２内の各種データを処理し、ＩＯＣ１２３を介してテープ印刷装置１内の各部に各種信号データを出力し、これにより文字印刷やカットなどの制御を行なう。
【００３４】
制御部１００の制御により、印刷テープ５０に対して文字印刷を行い、カットしてテープ片５０ａを得ることができる。なお、カット処理後のテープ片５０ａは、文字ラベルとして、被着体８０（図４参照）に貼着される。なお、被着体８０として、例えば、スクラップブッキングにおける写真やその台紙などが挙げられる。
【００３５】
図４は、印刷テープの断面図であり、同図（ａ）は、印刷テープの構成を示す断面図であり、同図（ｂ）は、印刷テープを被着体に貼着した場合の断面図である。図４を参照して、印刷テープ５０の説明を行なう。
【００３６】
図４（ａ）に示すように、印刷テープ５０は、裏面に粘着層５１が設けられた記録テープ５２と、この粘着層５１により貼着された剥離テープ５３とから構成されている。
【００３７】
また、印刷テープ５０は、印刷機構部１３０（印刷ヘッド２２）により記録テープ５２の面上に、インクリボン６０のインク６０ａが熱転写されることにより、印刷が行なわれる。また、上述したように、印刷済みの印刷テープ５０は、カット機構部１４０によりカットされ、テープ片５０ａが得られる。
【００３８】
記録テープ５２は、本実施形態では、ＰＥＴ（ポリエチレンテレフタレート）基材で構成されている。基材は、この他に、ＰＥ（ポリエチレン）、ＯＰＰ（延伸ポリプロピレン）および紙など各種基材を使用することができる。
【００３９】
また、剥離テープ５３は、本実施形態では、紙基材を用い、この紙基材の粘着層５１に貼着する面側にＰＥをラミネートして構成されている。剥離テープ５３は、ＰＥをラミネートすることにより、粘着層５１との粘着力を調整している。なお、基材は、この他に、化学パルプを原料としたグラシン紙、ＰＥＴおよびＰＥなどを使用することもできる。また、粘着力の調整方法として、ＰＥのラミネートの他、シリコン樹脂で処理する方法や、両方を併用する方法など各種ある。
【００４０】
また、粘着層５１は、本実施形態では、酸を含まない（アシッドフリー）部材で構成されている。そして、粘着層５１におけるｐＨ（水素イオン指数）値は７から１１の間としているが、本実施形態では略７となっている。
【００４１】
図４（ｂ）に示すように、印刷済みの印刷テープ５０（テープ片５０ａ）は、ユーザにより、剥離テープ５３を剥がし、粘着層５１を設ける記録テープ５２が被着体８０の表面に貼着される。符号の８０ａは、記録テープ５２の粘着層５１が被着体８０に貼着された被着体８０の貼着部分周辺を示している。
【００４２】
上述した、実施形態によれば以下の効果が得られる。
（１）本実施形態の印刷テープ５０によれば、粘着層５１が、アシッドフリー部材で構成されることにより、印刷テープ５０の剥離テープ５３を剥がし、記録テープ５２の粘着層５１を被着体８０に貼着した場合、被着体８０の貼着部分周辺８０ａに対して、変色などの不具合発生を防止することができる。従って、被着体８０の長期保存に適した印刷テープ５０が実現できる。本実施形態の印刷テープ５０は、例えば、スクラップブッキングなどを行なう場合、最適なものとして利用することができる。
【００４３】
（２）本実施形態のテープカートリッジ３０は、記録テープ５２を外側にし、剥離テープ５３を内側にしてロール状に巻回して印刷テープ５０をカートリッジケース３３内に収容している。これにより、被着体８０に変色などの不具合を発生させない印刷テープ５０を収容するテープカートリッジ３０が可能となる。
【００４４】
（３）本実施形態のテープ印刷装置１によれば、カートリッジ装着部２０と印刷機構部１３０とカット機構部１４０とを有することにより、被着体８０に変色などの不具合を発生させない印刷テープ５０に対して、印刷およびカット（フルカットまたはハーフカット）を行なうことが可能なテープ印刷装置１が実現できる。
【図面の簡単な説明】
【００４５】
【図１】本発明の実施形態に係るテープ印刷装置の斜視図。
【図２】開蓋状態のテープ印刷装置の斜視図。
【図３】テープ印刷装置の制御系のブロック図。
【図４】印刷テープの断面図であり、（ａ）は印刷テープの構成を示す断面図であり、（ｂ）は印刷テープを被着体に貼着した場合の断面図。
【図５】従来の印刷テープの断面図であり、（ａ）は印刷テープの構成を示す断面図であり、（ｂ）は印刷テープを被着体に貼着した場合の断面図。
【符号の説明】
【００４６】
１…テープ印刷装置、２…装置本体、２０…カートリッジ装着部、２２…印刷ヘッド、３０…テープカートリッジ、５０…印刷テープ、５０ａ…テープ片、５１…粘着層、５２…記録テープ、５３…剥離テープ、６０…インクリボン、６０ａ…インク、８０…被着体、１０２…文字印刷部、１０３…カッタユニット、１３０…印刷機構部、１４０…カット機構部。
【図１】
2008194964.tif 000003
【図２】
2008194964.tif 000004
【図３】
2008194964.tif 000005
【図４】
2008194964.tif 000006
【図５】
2008194964.tif 000007